(57)【要約】【課題】土砂等の被覆物により覆われ上載荷重が加わった場合でも壁材が安定的に保持されると共に、各構成部材が軽量であり、建設用の重機を用いなくても組み立てと解体とを容易に行うことができ、かつ、再組み立てが可能な仮設車庫を提供する。【解決手段】車庫外殻２と車両用路床とが再組み立て可能に構成されている仮設車庫１。車庫外殻２として横外壁が地盤に載置され、横外壁部同士を連結する幅保持材３が間隔を空けて複数配置され、横外壁の上部には屋根が取り付けられて車庫外壁２が形成され、面材４７が取り付けられたフレーム材４２により硬質発泡樹脂マット４１の上部を覆って形成された床材４が、複数の幅保持材３の間に嵌め込まれ、幅保持材３と床材４とにより車両用路床が形成されている。【選択図】図１
2014190140.tif 000002
【特許請求の範囲】
【請求項１】
車庫外殻と前記車庫外殻の内部の車両用路床とが再組み立て可能に構成されている仮設車庫であって、
前記車庫外殻として鋼製の板状部材を組み合わせた左右の横外壁が地盤に載置され、
左右の前記横外壁の下部には、左右の前記横外壁部同士を連結する幅保持材が間隔を空けて複数配置され、前記左右の横外壁の上部には鋼製の部材を組み合わせた屋根が取り付けられて前記車庫外壁が形成され、
面材が取り付けられたフレーム材により硬質発泡樹脂マットの上部を覆って形成された床材が、複数の前記幅保持材の間に嵌め込まれ、前記幅保持材と前記床材とにより前記車両用路床が形成されている、
ことを特徴とする仮設車庫。
【請求項２】
前記床材は矩形状であり、上面の長手方向両端部に鍔部が形成されていることを特徴とする請求項１記載の仮設車庫。
【請求項３】
複数の前記幅保持材の間に前記床材が嵌め込まれた状態で、前記幅保持材の上面と前記床材の前記鍔部の下面との間が離間した状態であることを特徴とする請求項２記載の仮設車庫。
【請求項４】
前記床材の前記面材は、表面に滑り防止構造が形成されていることを特徴とする請求項１乃至３の何れか１項記載の仮設車庫。
【請求項５】
前記車庫外殻は後方外壁を更に備え、左右の前記横外壁の一方の側端部同士が前記後方外壁で連結されていることを特徴とする請求項１乃至４の何れか１項記載の仮設車庫。
【請求項６】
前記床材の長手方向端部かつ前記フレーム材の側部には、前記床材の長手方向に進退可能に設けられた突出部を有する突出可動部を更に備え、前記幅保持材に挿し入れられて前記突出部が突出した状態となることを特徴とする請求項１乃至５の何れか１項記載の仮設車庫。
【発明の詳細な説明】
【技術分野】
【０００１】
本発明は、土木用工事車両や大型輸送車両等の重車両を一時的に遮蔽する仮設車庫に関するものである。
【背景技術】
【０００２】
一時的に設置される仮設車庫として、従来から、組み立て式の壁材や屋根材から構成されるものが知られている。
【０００３】
こうした従来の仮設車庫を用いて、大型重機を収容可能な大空間を形成する場合には、一般的に基礎工事を行うことが前提とされている。
【０００４】
一方、基礎工事を行うことなく土台を構築し、壁材を安定的に保持することのできる仮設車庫に関連する構成として、例えば特許文献１には、支柱入れを取り付けた底面付き枠内に重量物を置き、これを固定するとともに、支柱入れに支柱を取り付け、屋根を取り付けることで、基礎工事が不要である車庫用簡易土台装置が記載されている。
【０００５】
また、特許文献２には、簡易かつ堅固に構築しうる仮設車庫であって、所望の場所に囲壁付分割底板を運んで両者を突合わせて連結し、アンカーボルトの上に所望の部材を建築する仮設建物用コンクリート台が記載されている。
【０００６】
また、仮設車庫に関する技術ではないが、特許文献３には、重車両の可動領域に敷設する建設重機可動用の防振マットであって、バックホウ等の大型重機が建物を解体する動作時や、移動時に発生する振動を抑制するために、繰り返し転用が可能で地盤に直に敷き並べられる大型重機用の防振マットが記載されている。
【先行技術文献】
【特許文献】
【０００７】
【特許文献１】特開平０９−１０５２４１号公報
【特許文献２】実開昭６３−０４５８５２号公報
【特許文献３】特開平０７−２７９４４３号公報
【発明の概要】
【発明が解決しようとする課題】
【０００８】
しかし、特許文献１および２に記載されている仮設車庫に関連する技術は、整地のされていない場所で大型車両を収納する際に用いられることを想定したものではない。
【０００９】
例えば、紛争地における救助や支援活動等に先んじて行われる一時的な通行路の施工やそれに伴う物資の運搬に際して、土木工事用重車両や大型輸送車両が用いられる場合には、妨害行為を避けるため等の理由により、一時的に車両を遮蔽するとともに、当該遮蔽を行う車庫等の遮蔽物自体も隠す必要が生じることがある。
【００１０】
また、豪雪地帯における積雪災害における救助時に、積雪状況等から被災地に到達できる災害救助用の各種大型車両の数に制限のある場合には、これらの車両が雪に埋もれないよう仮設車庫を用いることが想定されるが、当該仮設車庫自体が大量の雪に埋もれ使用不可能になることを防止する必要がある。
【００１１】
こうした目的に用いられる仮設車庫は、大型の車両を収容できるとともに、迅速に組み立てと解体を行うことが可能であり、かつ、仮設車庫自体が土砂や雪等の被覆物で覆われる場合には、これらの荷重に耐えうる強度を有することが要求される。
【００１２】
また、仮設車庫の組み立てに際して、クレーン等の重機を用いてもよいが、人力で全てを組み立て、解体できる構成であればより望ましい。
【００１３】
しかし、これらの要求を満たす仮設車庫に関する先行技術は無い。仮に、上記特許文献１および２について部材を大型化し、大型の車両を収容できるようにしても、これらの要求を満たすものにはならない。
【００１４】
これは、紛争地や、積雪災害時の救助活動等に用いられる仮設車庫は、役目を終えて解体された後も、また紛争や災害救助の進行状況に応じて別の移動先で再設置されることが多くあるため、運搬性に優れ、輸送中の振動による衝撃に対する耐性を有することが要求されるからである。
【００１５】
上記特許文献１に記載されているような、車両搭載部に重量物を用いる構成は、運搬性が悪く、また、組み立てや解体を迅速に行うことができないため、上記目的に用いられる場合には不適当である。
【００１６】
また、特許文献２に記載されているように、車両搭載部にコンクリート製の囲壁付分割底板を用いる構成は、重量がかさみ不適当であり、また、コンクリートが振動に弱いため、運搬時の振動によりクラックや欠けが生じる恐れがあり、同様に上記目的に用いられる場合には不適当である。
【００１７】
また、特許文献３に記載されているような重車両用のマットを、大型の仮設車庫の床材に適用することも考えられるが、どのようにして基礎工事をすることなく、壁材を安定的に保持し、また、被覆物による上載荷重が加わった場合においても仮設車庫の左右の壁材が倒壊することを防止するのかについては不明である。
【００１８】
また、上記マットは、特許文献１および２に記載されている車両搭載部の重量物等よりは軽量であるものの、1個あたりの重量が２５０ｋｇ程度もあり、運搬性や組み立て性、解体性は悪い。また、こうしたマットを人力のみで敷設することは不可能であり、クレーン等の重機が必要となる。
【００１９】
本発明は、上述した問題点に鑑みて案出されたものであり、土木工事用の重車両や大型輸送車両等を一時的に遮蔽することを可能にする仮設車庫であって、土砂等の被覆物により覆われ上載荷重が加わった場合でも壁材が安定的に保持されると共に、各構成部材が軽量であり、建設用の重機を用いなくても組み立てと解体とを容易に行うことができ、かつ、再組み立てが可能な仮設車庫を提供することを目的とする。
【課題を解決するための手段】
【００２０】
本発明者は、上述した課題を解決するために、土砂等の被覆物により覆われ上載荷重が加わった場合でも壁材が安定的に保持されると共に、構成部材が軽量であり、人力でも組み立てと解体を容易に行うことができ、再組み立てが可能な仮設車庫を発明した。
【００２１】
第１発明に係る仮設車庫は、車庫外殻と前記車庫外殻の内部の車両用路床とが再組み立て可能に構成されている仮設車庫であって、前記車庫外殻として鋼製の板状部材を組み合わせた左右の横外壁が地盤に載置され、左右の前記横外壁の下部には、左右の前記横外壁部同士を連結する幅保持材が間隔を空けて複数配置され、前記左右の横外壁の上部には鋼製の部材を組み合わせた屋根が取り付けられて前記車庫外壁が形成され、面材が取り付けられたフレーム材により硬質発泡樹脂マットの上部を覆って形成された床材が、複数の前記幅保持材の間に嵌め込まれ、前記幅保持材と前記床材とにより前記車両用路床が形成されている、ことを特徴とする。
【００２２】
第２発明に係る仮設車庫は、第１発明に係る仮設車庫において、前記床材は矩形状であり、上面の長手方向両端部に鍔部が形成されていることを特徴とする。
【００２３】
第３発明に係る仮設車庫は、第２発明に係る仮設車庫において、複数の前記幅保持材の間に前記床材が嵌め込まれた状態で、前記幅保持材の上面と前記床材の前記鍔部の下面との間が離間した状態であることを特徴とする。
【００２４】
第４発明に係る仮設車庫は、第１〜第３発明の何れか１つに係る仮設車庫において、前記床材の前記面材は、表面に滑り防止構造が形成されていることを特徴とする。
【００２５】
第５発明に係る仮設車庫は、第１〜第４発明の何れか１つに係る仮設車庫において、前記車庫外殻は後方外壁を更に備え、左右の前記横外壁の一方の側端部同士が前記後方外壁で連結されていることを特徴とする。
【００２６】
第６発明に係る仮設車庫は、第１〜第５発明の何れか１つに係る仮設車庫において、前記床材の長手方向端部かつ前記フレーム材の側部には、前記床材の長手方向に進退可能に設けられた突出部を有する突出可動部を更に備え、前記幅保持材に挿し入れられて前記突出部が突出した状態となることを特徴とする。
【発明の効果】
【００２７】
上述した構成からなる本発明によれば、土砂等の被覆物により覆われ上載荷重が加わった場合でも壁材が安定的に保持されると共に、構成部材が軽量であり、再組み立てが可能な仮設車庫を提供することができる。
【図面の簡単な説明】
【００２８】
【図１】本発明の実施形態に係る仮設車庫を示す斜視図である。
【図２】図１の仮設車庫の正面図である。
【図３】図１の仮設車庫の側面図である。
【図４】仮設車庫に用いられる床材を示す斜視図である。
【図５】図４の床材の要部側面図である。
【図６】本発明の仮設車庫の変形例に関する図である。
【発明を実施するための形態】
【００２９】
以下、本発明の実施形態に係る仮設車庫について詳細に説明する。
【００３０】
図１は、本発明の実施形態に係る仮設車庫１を示す斜視図であり、図２、図３はそれぞれ図１の仮設車庫の正面図および側面図である。
【００３１】
仮設車庫１は、車庫外殻２と、幅保持材３と、床材４とを備えて構成される、土木用工事車両や大型輸送車両等の重車両を一時的に遮蔽するための、人力での組み立て、解体および再組み立てが可能な仮設車庫である。
【００３２】
車庫外殻２は、トンネル形をしていて、鋼板で形成された波板であるライナープレート２１を複数用いて構成されている。なお、図面では、ライナープレートの波形形状を省略して、簡略化された形で描かれている。
【００３３】
車庫外殻２を形成するライナープレート２１には、左右（＋Ｙ、−Ｙ方向）に位置する横外壁および奥側（−Ｘ方向）に位置する後方外壁を構成する平板２１ａと、屋根を構成する湾曲板２１ｂと、の２種類のライナープレート２１が含まれている。横外壁の下側（−Ｚ方向）の端部と、後方外壁の下側の端部は、それぞれ直接又はＨ形綱等の形鋼を介して地盤に載置または埋設されている。
【００３４】
そして、左右の横外壁の奥側（−Ｘ方向）の側端部同士は、後方外壁で連結されているとともに、左右の横外壁の上部には屋根が取り付けられている。
【００３５】
ライナープレート２１間の固定は、図示しない固定部材により行われている。この固定部材としては、固定と解体を、手作業により簡易かつ廃棄物を生じることなく行えるものであれば特に制限は無い。そのため、ライナープレート２１同士の当接位置にそれぞれ設けられた図示しない孔を介するボルトとナットによる締結や、断面コ字状のピン部材による締結等を採用することができる。
【００３６】
幅保持材３は、断面Ｈ形のＨ形綱よりなる柱状の部材であり、車庫外殻２の対向する横外壁同士を、その下端部において連結している。この連結は、横外壁の下端部の複数個所において行われている。
【００３７】
幅保持材３とライナープレート２１（平板２１ａ）間の連結も、ライナープレート２１間の固定と同様に、固定と解体とを、手作業により簡易に、そして廃棄物を生じることなく行える方法であれば、特に制限無く採用することができる。
【００３８】
幅保持材３は、仮設車庫１を設置する際、車両外殻２の下端部を土中に埋没したり、あるいは仮設車庫１が土砂等の被覆物により覆われたりする際に、車庫外殻２の横外壁に対して外部から加わる圧力に抵抗し、仮設車庫１の変形や破損を防止するために設けられている。
【００３９】
しかし、車庫外殻２と幅保持材３のみにより仮設車庫１を構成した場合には、仮設車庫１に対する車両、特に重車両の進退時、車両がこの幅保持材３に直接乗り上げ、幅保持材３の破損を招いてしまう。
【００４０】
こうした幅保持材３の破損を防止する方法として、例えば複数の幅保持材３の間を土砂やコンクリート等で充填することが考えられるが、これでは仮設車庫１の組み立て及び解体の際の作業量が大幅に増加してしまい、迅速な組み立てと解体とを行うことができなくなってしまう。
【００４１】
そこで、本実施形態に係る仮設車庫１では、以下に説明するように、幅保持材３とともに車両用の路床を形成する部材であり、幅保持材３よりも高さを有する矩形状の床材４が、複数の前記幅保持材の間に嵌め込まれている。そして、車両がその車輪やキャタピラ等を床材４上に載せて進退する態様とすることで、幅保持材３の破損を効果的に防止している。
【００４２】
図４は、仮設車庫１に用いられる床材４を示す斜視図であり、図５は、床材４の要部側面図である。
【００４３】
床材４は、硬質発泡樹脂マット４１の上部を金属製のフレーム材４２で覆うことで形成されている。
【００４４】
硬質発泡樹脂マット４１は、硬質ポリウレタンフォームや硬質ポリスチレンフォーム等の硬質発泡樹脂を矩形状に加工して形成される、機械的強度が高くかつ軽量のマット材である。なお、硬質発泡樹脂マット４１は、硬質発泡樹脂単体で形成される他、紫外線による硬質発泡樹脂の劣化を防止するため、周囲を遮光シートで覆う等した態様であっても良い。
【００４５】
フレーム材４２は、硬質発泡樹脂マット４１の上部を覆う枠状の構成であり、フレーム材４２の上部（＋Ｚ方向）に、滑り防止構造としてエキスパンドメタルよりなる面材４７が取り付けられているとともに、左右（＋Ｙ、−Ｙ方向）側面には、それぞれ作業員が運搬時に把持するため、取手４３が２つずつ設けられている。
【００４６】
なお、本実施形態に係る仮設車庫１において、フレーム材４２の面材４７としてエキスパンドメタルが採用されているが、本発明においてはこれに限らず、パンチングメタルや縞鋼板等の表面に細かな突起が形成された金属板等、所定の機械的強度を有すると共に、車両の車輪等の滑りを防止できる構造であれば好適に採用することができる。
【００４７】
また、フレーム材４２には、その長手方向（＋Ｘ、−Ｘ方向）の両端面４４の上部から突出して、鍔部４５が設けられている。
【００４８】
この鍔部４５は、図５に示すように、その下面が幅保持材３のウェブ３１から車両の進退方向（＋Ｘ、−Ｘ方向）に伸びる上側フランジ３２の上面と離間しつつ、上側フランジ３２の上面を覆う高さに位置するように設けられている。
【００４９】
このように、幅保持材３の上側フランジ３２と鍔部４５とが離間した態様とすることで、床材４上を車両が移動する際に幅保持材３に車重が加わることが無くなり、幅保持材３の変形や破損を効果的に防止することができる。
【００５０】
なお、本発明においてはこれに限らず、上側フランジ３２と鍔部４５とが接触する態様を採用することもできる。この場合には、車重が幅保持材３にも加わってしまうが、上側フランジ３２と鍔部４５の２つの構成により車重を受けることになるため、幅保持材３単体で車重を受ける場合と比較し機械的強度を増すことができ、幅保持材３の破損を抑制することができる。
【００５１】
このようにして形成されている床材４は、軽量であるため建設用の重機を用いずとも作業員による手作業で持ち運ぶことができ、また、敷設の際には基礎工事を行う必要が無く、土砂やコンクリート等による固定を行う必要も無いため、敷設と撤去とを、迅速かつ容易に、廃棄物を生じることなく行うことができる。
【００５２】
なお、上述した実施形態においては、床材４の＋Ｘ方向の先頭部分は、他の床材４の長手方向端部とは異なり、スロープが設けられている。このような態様とすることで、車両が床材４に乗り上げ易くなっている。ただし、本発明では、このスロープを設けず、全ての床材４が同一の形状である構成であっても良い。
【００５３】
上述した実施形態に係る仮設車庫１によると、土砂等の被覆物により覆われ上載荷重が加わった場合でも壁材を安定的に保持できると共に、構成部材が軽量であり、人力でも組み立てと解体、再組み立てを迅速かつ容易に行うことができる。
【００５４】
なお、本発明においては上述した実施形態に限定されること無く、同一の作用効果を奏する範囲内で種々の変形を行うことが可能である。
【００５５】
図６は、本発明の仮設車庫の変形例に関する図で、仮設車庫に用いられる床材の要部側面図である。図６を用いて以下に説明する変形例において、上述した実施形態に係る仮設車庫と同一の部材については同一の符号を付すとともに、その説明を省略する。
【００５６】
図６に示す変形例では、床材４のフレーム材４２の左右（＋Ｙ、−Ｙ方向）側部であって、床材４の長手方向（＋Ｘ、−Ｘ方向）の両端部において、当該長手方向に進退可能に設けられた突出部５２を有する突出可動部５が設けられている他は、上述した実施形態に係る仮設車庫１と同様の構成を備えている。
【００５７】
突出可動部５は、それぞれ４つのリング部材５３と、リング部材５３の内部を進退可能な突出部５２と、を備えて構成されている。
【００５８】
リング部材５３は、床材４のフレーム材４２の左右（＋Ｙ、−Ｙ方向）側部であって、床材４の長手方向（＋Ｘ、−Ｘ方向）の端部近傍に、溶接等により４つで１セットとして取り付けられている、環状の金属部材である。１セットのリング部材５３は、内部空洞が互いに連通するようにして併設されているため、１セットのリング部材５３の全体で、１つの挿入孔が形成されている。
【００５９】
また、４つのリング部材５３のうち、内側に位置する２つのリング部材５３の側部には、突出部５２のつまみ５１が通過可能な幅を有する切欠き部５４が設けられている。
【００６０】
突出部５２は、上記挿入孔に挿入可能な径を有している金属製の円柱状の部材であり、この長手方向と垂直な方向に突出する、同じく円柱状のつまみ５１を有して構成されている。
【００６１】
そして、仮設車庫１の組立時には、作業者がつまみ５１を把持し、つまみ５１をリング部材５３の切欠き部５４を通過させ、突出位置Ａに移動させることで、突出部５２が突出し、幅保持材３の上側フランジ３２の下部に挿し入れられる。
【００６２】
なお、つまみ５１が突出位置Ａに移動した後、つまみ５１を押し下げることで、つまみ５１は２つのリング部材５３により挟み込まれ、Ｘ方向への動作が規制される。これにより、突出部５２が突出した状態を保つことができる。
【００６３】
そして、車両が床材４の突出可動部５が設けられている側とは反対側の鍔部４５に乗り上げた場合、床材４の突出可動部５が設けられている側が持ち上がることがある。
【００６４】
しかし、突出部５２が突出し、上側フランジ３２の下部に位置している場合には、こうした持ち上がりが生じた際に突出部５２が上側フランジ３２の下面に当接することで、これ以上の持ち上がりを防止することができる。
【００６５】
また、仮設車庫１の解体時等、床材４を持ち上げ移動する必要が生じた場合には、作業者がつまみ５１を把持し、つまみ５１を持ち上げ切欠き部５４を通過させ、突出位置Ａから退避位置Ｂに移動させることで、突出部５２を上側フランジ３２下部から退避させることができ、床材４の持ち上げが可能となる。
【００６６】
また、つまみ５１が退避位置Ｂに移動した後、つまみ５１を押し下げることで、つまみ５１は２つのリング部材５３により挟み込まれ、Ｘ方向への動作が規制される。これにより、不使用時等において突出部５２が退避した状態を保つことができ、床材４の収納に要するスペースを削減することができるとともに、突出部５２の破損を防止することができる。
【００６７】
なお、本発明は仮設車庫に関する発明であるが、例えば後方外壁を除いた態様とすることで、後方外壁の無い仮設車庫や、仮設トンネルとすることもできる。これらの仮設車庫や仮設トンネルも、本発明と同様に、土砂等の被覆物により覆われ上載荷重が加わった場合でも幅保持材で支えられて壁材が安定的に保持されると共に、構成部材が軽量であり、人力でも組み立てと解体を容易に行うことができ、再組み立てが可能なものとなる。
【符号の説明】
【００６８】
１  仮設車庫
２  車庫外殻
３  幅保持材
４  床材
５  突出可動部
２１ａ  平板
２１ｂ  湾曲板
３１  ウェブ
３２  上側フランジ
４１  硬質発泡樹脂マット
４２  フレーム材
４３  取手
４４  端面
４５  鍔部
４７  面材
５１  つまみ
５３  リング部材
５４  切欠き部
Ａ  突出位置
Ｂ  退避位置
【図１】
2014190140.tif 000003
【図２】
2014190140.tif 000004
【図３】
2014190140.tif 000005
【図４】
2014190140.tif 000006
【図５】
2014190140.tif 000007
【図６】
2014190140.tif 000008